(57)【要約】【課題】従来の技術の欠点を有しないロープウェーを用いることである。【解決手段】下方のロープループ（４）および上方のロープループが、中間の駅（２）で、共通の案内手段（７）の回りに延びている。【選択図】      図２
2008132979.tif 000002
【特許請求の範囲】
【請求項１】
搬器（６）、例えば、チェア・リフトまたはゴンドラと、前記搬器（６）が連結および連結解除可能である相手である下方並びに上方のロープループ（４，５）と、下方の駅（１）、中間の駅（２）および上方の駅（３）とを具備し、前記下方の駅（１）から前記中間の駅（２）までの区間には、前記下方のロープループ（４）が設けられており、前記中間の駅（２）から前記上方の駅（３）までの区間には、前記上方のロープループ（５）が設けられているロープウェーにおいて、
前記下方のロープループ（４）と前記上方のロープループ（５）とは、前記真
中の駅（２）で、共通の案内手段（７）の回りに延びていることを特徴とするロープウェー。
【請求項２】
前記案内手段（７）は、固設されていることを特徴とする請求項１に記載のロープウェー。
【請求項３】
前記案内手段（７）は、２重溝のプーリであることを特徴とする請求項１または２に記載のロープウェー。
【請求項４】
案内手段（７）は、機械的に連結されている２つの単溝のプーリを有することを特徴とする請求項１または２に記載のロープウェー。
【請求項５】
案内手段（７）は、水平方向に設けられていることを特徴とする請求項１ないし４のいずれか１に記載のロープウェー。
【請求項６】
前記下方の駅（１）と前記上方の駅（３）とには、前記各々のロープループ（４，５）のための移動可能なプーリ（１１，１２）が設けられていることを特徴とする請求項１ないし５のいずれか１に記載のロープウェー。
【請求項７】
前記１つのまたは複数のプーリすなわち案内手段（７）は、前記中間の駅（２）で、駆動手段（１４）を有することを特徴とする請求項１ないし６のいずれか１に記載のロープウェー。
【請求項８】
前記下方のプーリ（１１）は、駆動手段（１４）を有することを特徴とする請求項１ないし６のいずれか１に記載のロープウェー。
【請求項９】
前記上方のプーリ（１２）は、駆動手段（１４）を有することを特徴とする請求項１ないし６のいずれか１に記載のロープウェー。
【請求項１０】
前記下方のロープループ（４）と前記上方のロープループ（５）とは、互いに１８０°よりも小さい角度（α）で、前記中間の駅（２）に設けられていることを特徴とする請求項１ないし９のいずれか１に記載のロープウェー。
【請求項１１】
前記下方のロープループ（４）と前記上方のロープループ（５）とは、互いに１８０°の角度（α）で、前記中間の駅（２）に設けられていることを特徴とする請求項１ないし９のいずれか１に記載のロープウェー。
【請求項１２】
前記中間の駅（２）における前記案内手段（７）の夫々前方および後方に、前記搬器（６）を前記両方のロープループ（４，５）に連結しおよびこれらのロープループから連結解除するための各１つの運搬手段（１０ａ）を有する複数の区域が設けられていること、および、これらの区域の間には、前記搬器（６）を前記案内手段（７）の回りへ案内する、前記搬器（６）のための運搬手段（１０ｂ）が設けられていることを特徴とする請求項１ないし１１のいずれか１に記載のロープウェー。
【発明の詳細な説明】
【技術分野】
【０００１】
本発明は、搬器、例えば、チェア・リフトまたはゴンドラと、搬器が連結可能および連結解除可能である相手である２つのロープループと、下方の駅、上方の駅および中間の駅とを具備するロープウェーに関する。下方の駅から中間の駅までの区間には、下方のロープループが設けられており、中間の駅からの上方の駅までの区間には、上方のロープループが設けられている。
【背景技術】
【０００２】
２つのロープループを有する、本発明に係わるロープウェーの場合、下方のロープループは、下方の駅（谷側の駅）から中間の駅（中間駅）へ延びている。更に続いて、次に、上方のロープループは、第２の中間の駅（中間駅）から上方の駅３（山側の駅）へ延びる。
【０００３】
２つの中間の駅の欠点は、これらの駅が所要面積およびコストの増大に繋がることである。更に、２つの駅での騒音が、只１つの駅の場合よりも大きくなる。従って、只１つのロープループが、谷側の駅から中間駅を通って山側の駅へ延びてなる解決策も知られている。しかしながら、このような解決策は、転向手段のための非常に高い技術コストが受け入れられないときは、伸張された状態の、すなわち１８０°の、複数のロープループの上方部分と下方部分の間の僅かな角度差しか可能でないという欠点を有する。只１つのロープループを用いた解決策における欠点は、大きなロープ長さおよびロープの相応に高い緊張があり、これらに関連した複数の欠点により、２本のロープループを用いた解決策よりも大きなロープ横断面、多くの経費のかかる支持構造体、ローラ用のバッテリ等が生じることである。これに対して、２つのまたはそれより多いロープループを有する設備が利点を有する。これらの設備では、ロープ長さおよびロープを緊張する距離（Spannweg）を、適切な数の部分に分割することができる。
【発明の開示】
【発明が解決しようとする課題】
【０００４】
本発明の課題は、従来の技術の欠点を有しないロープウェーを用いることである。
【課題を解決するための手段】
【０００５】
上記課題は、本発明に基づき、請求項１の特徴を有するロープウェーで解決される。
【０００６】
本発明に係わるロープウェーの好ましいかつ好都合な実施の形態は、従属請求項の主題である。
【０００７】
本発明に係わるロープウェーの場合、下方のロープループおよび上方のロープループが、中間の駅で、共通の案内手段の回りに延びているので、下方の駅と上方の駅との間に、只１つの中間の駅を設けさえすれば、十分である。この中間の駅では、乗客が、いつものように、乗り降りすることができる。しかしながら、本発明により、下方のロープループおよび上方のロープループが、互いに１８０°に等しい角度で設けられているか、あるいは、互いに１８０°とは異なる角度で設けられているかに係わりなく、従来のように、搬器を下方の駅から直接的に上方の駅まで走らせることも、可能である。
【０００８】
案内手段が２重溝のプーリであることは好ましい。本発明の枠内では、機械的に連結されている２つの単溝のプーリを用いることも、同様に可能である。１つのまたは複数のプーリの場合に、簡単な構造体であることは好都合である。
【０００９】
特に好ましい実施の形態では、案内手段は、中間の駅に設されている。これに対し、下方の駅および上方の駅では、夫々１つの移動可能なプーリが設けられている。その目的は、ロープループのロープの正確な緊張を保証するためである。
【００１０】
本発明では、更に、プーリが中間の駅に駆動手段を有することは、好ましい。しかし、その代わりに、下方のプーリが駆動手段を有することおよび／または上方のプーリが駆動手段を有することも可能である。
【００１１】
本発明の枠内では、中間の駅における案内手段の夫々前方および後方に、搬器をロープループに連結しおよびこれらのロープループから連結解除するための各１つの運搬手段を有する複数の区域が設けられていること、および、これらの区域の間には、搬器を案内手段の傍へ案内する、搬器のための運搬手段が設けられていることは好ましい。かくして、搬器は、中間の駅への到着の際に、僅かな速度へ減速されることが可能である。この駅では、乗客は搬器から気分よく降りてまた搬器へ乗り込むことができる。駅からの出発の後に、搬器は、複数の駅の間の搬器の運搬速度すなわちロープループの速度に対応する速度へ再度加速されることが可能である。
【００１２】
本発明の枠内では、２つよりも多いロープループが相前後して設けられていることが可能である。
【００１３】
本発明に係わるロープウェーの他の詳細、特徴および利点は、好ましい実施の形態が示されている添付した図面を参照した以下の記述から、明らかである。
【発明を実施するための最良の形態】
【００１４】
図６，７および８に略示したロープウェーは、３つの駅、例えば、下方の駅１（谷側の駅）、中間の駅２（中間駅）および上方の駅３（山側の駅）を有する。下方の駅１から中間の駅までの区間には、下方のロープループ４が設けられており、中間の駅２から上方の駅３までの区間には、上方のロープループ５が設けられている。乗客および場合によっては輸送貨物を運搬するためには、ロープループ４，５のロープに、搬器６、例えば、チェア・リフトまたはゴンドラが、周知の方法で連結可能でありおよびロープから連結解除可能である。下方のロープループ４および上方のロープループ５は９０°の角度αで設けられている。
【００１５】
図１には、中間の駅２の第１の実施の形態が示されている。この実施の形態では、下方のロープループ４および上方のロープループ５が交わり、共通の案内手段７の回りに延びている。案内手段７は、図５に示すように、機械的に連結されている２つの単溝のプーリからなることが可能である。２重溝のプーリも同様に可能である。案内手段すなわちプーリ７は水平方向に設けられており、この位置で、下方の溝８および上方の溝９を有する。下方の溝８は下方のロープループ４に関連して設けられており、上方の溝９は上方のロールプール５に関連して設けられている。
【００１６】
ロープループ４，５は、図１では、互いに直角に、プーリ（案内手段）７の回りに延びている。この角度は単に例として理解されねばならない。何故ならば、２つのロープループ４および５が、中間の駅で、互いに１８０°よりも小さい如何なる任意の角度でも設けられていることができるからである。しかしながら、本発明に係わるロープウェーは、図５に示すように、２つのロープループが伸張した配置でも、すなわち１８０°でも使用可能である。本発明に係わるロープウェーが、下方のロープループ４および上方のロープループ５の異なる勾配でも使用可能であることは明らかである。
【００１７】
搬器６は、上方から下方へまたは下方から上方へ、或る勾配で、中間の駅２の方向に移動する。中間の駅２の到着区域および出発区域は、図１ないし４に示すように、水平方向に設けられている。
【００１８】
この水平方向の移動のために、中間の駅２における案内手段７の夫々前方および後方に、搬器６を連結および連結解除するための各１つの運搬手段１０ａを有する複数の区域が、周知の方法で設けられている。これらの区域の間には、搬器６のための運搬手段１０ｂが設けられている。この運搬手段は、搬器６を、常に低い速度で、案内手段７の回りを案内する。これらの運搬手段１０ａ，１０ｂは、ロープループ４，５の対応の区域の脇で、著しく平行に延びている。図２および３には、搬器６が、中間の駅２の中を移動する最中に、実質的に平行に延びている運搬手段１０ａ，１０ｂによって案内されることが明らかである。
【００１９】
搬器６は、中間の駅２で、各々のロープループ４，５のロープから連結解除されているとき、ブレーキをかけて僅かな速度へ減速される。次に、乗客は搬器６から気分よく降りてまた搬器へ乗り込むことができる。他方、搬器は案内手段すなわちプーリ７の傍を通って案内される。続いて、搬器６は、ロープループ４，５のロープの速度に対応する速度へ再度加速される。次に、搬器は再度ロープに連結される。
【００２０】
図６ないし８は、下方の駅１と、中間の駅２と、上方の駅３とを有するロープウェーを概観で略示する。下方の駅１にはプーリ１１が設けられ、上方の駅３にはプーリ１２が設けられている。これらのプーリは、従来の技術から公知のようにデザインにされていることができる。二重矢印１３によって示すように、プーリ１１および１２は各々のロープループ４，５の長手方向の長さに沿って移動可能である。その目的は、ロープの正確な緊張を維持するためである。これに対し、案内手段７は、中間の駅２に固設されている。
【００２１】
更に、図６ないし８で、ロープウェーを駆動するための異なった変形例が示されている。図６では、下方の駅１で、図８では、上方の駅３に、駆動手段１４および緊張手段が設けられている。駆動手段１４が下方の駅１（図６）にあるとき、下方のロープループ４は、上方のロープループ５を、中間の駅２に設けられた案内手段すなわちプーリ７によって駆動する。これに対し、駆動手段１４が、図８に示すように、上方の駅３に設けられているとき、上方のロープループ５は、下方のロープループ４を、中間の駅２に設けられた案内手段すなわちプーリ７によって駆動する。図７に示すように、他の変形例では、案内手段７は、中間の駅２に駆動手段１４を有する。この場合、２つのロープループ４，５は、中間の駅２から駆動される。
【図面の簡単な説明】
【００２２】
【図１】図１は、互いに９０°の角度で設けられている複数のロープループを有する本発明に係わるロープウェーの中間の駅の第１の実施の形態を示す。
【図２】図２は、搬器の到着側および出発側の区域における中間の駅を示す。
【図３】図３は、駅の到着区域および出発区域における支柱の区域における中間の駅を示す。
【図４】図４は、２つの互いに結合されたプーリの形態をとる案内手段の実施の形態の詳細を示す。
【図５】図５は、１８０°の角度で設けられた複数のロープループを有する中間の駅の第２の実施の形態を示す。
【図６】図６は、本発明に係わるロープウェーの駆動手段の変形例を略示する。
【図７】図７は、本発明に係わるロープウェーの駆動手段の他の変形例を略示する。
【図８】図８は、本発明に係わるロープウェーの駆動手段の更に他の変形例を略示する。
【符号の説明】
【００２３】
１  下方の駅
２  中間の駅
３  上方の駅
４  ロープループ
５  ロープループ
６  搬器、ゴンドラ
７  案内手段。
【図１】
2008132979.tif 000003
【図２】
2008132979.tif 000004
【図３】
2008132979.tif 000005
【図４】
2008132979.tif 000006
【図５】
2008132979.tif 000007
【図６】
2008132979.tif 000008
【図７】
2008132979.tif 000009
【図８】
2008132979.tif 000010